(57)【要約】【課題】柔らかさを損なうことなく着衣への取り付け性に問題を生じない、薄く且つ柔らかい吸収性物品を提供することにある。【解決手段】実質的に縦長で、吸収層を構成する不織布２及び液不透過性の裏面シート３を有しており、厚さ０．５〜２ｍｍの薄型であるパンティライナー１は、パンティライナー１の幅方向の中央部に、不織布２が重なり合っている重合部９が形成されており、該重合部９内に、吸収性物品１の長手方向に連続した接着剤による接合部４が設けられている。１枚の不織布２は、パンティライナー１の幅方向に３つ折りにされており、不織布２の両側部２１、２１同士が重なり合って重合部９が形成されており、不織布２の重合部９には接着剤がパンティライナー１の長手方向に塗布されて接合部４を形成している。【選択図】図１
2006288683.tif 000002
【特許請求の範囲】
【請求項１】
実質的に縦長で、少なくとも吸収層を構成する繊維シート及び液不透過性の裏面シートを有しており、厚さ０．５〜２ｍｍの薄型の吸収性物品であって、
前記吸収性物品の幅方向の中央部に、前記繊維シートが重なり合っている重合部が形成されており、該重合部内に、前記吸収性物品の長手方向に連続した接着剤による接合部が設けられている吸収性物品。
【請求項２】
１枚の前記繊維シートが、前記吸収性物品の幅方向に３つ折りにされており、該繊維シートの両側部同士が重なり合って前記重合部が形成されている請求項１記載の吸収性物品。
【請求項３】
接着剤により形成されている補助接合部が、前記接合部近傍に、該接合部と並行に複数本設けられている請求項２記載の吸収性物品。
【請求項４】
前記吸収性物品は表面シートを有しており、２枚の前記繊維シートの一側部同士が重なり合って前記重合部が形成されており、２枚の該繊維シートのそれぞれの表面側は前記表面シートと、２枚の該繊維シートのそれぞれの裏面側は前記裏面シートと、それぞれ接着剤で接合されている請求項１記載の吸収性物品。
【請求項５】
前記吸収性物品の前記繊維シートと前記裏面シートとの間に前記接着剤が塗工され、且つ該接着剤が該繊維シートに入り込んで前記接合部を形成している請求項１〜４の何れかに記載の吸収性物品。
【請求項６】
前記接合部を形成している前記接着剤は、ゴム系粘着剤を主成分とするホットメルト接着剤である請求項１〜５の何れかに記載の吸収性物品。
【請求項７】
ＪＩＳ  Ｌ  １０８５（５．７Ａ法）に準拠したカンチレバー法によって測定された、前記接合部を含む部位での前記吸収性物品の幅１０ｍｍ切片の長手方向の剛軟度が５０ｍｍ以上である請求項１〜６の何れかに記載の吸収性物品。
【請求項８】
ＪＩＳ  Ｌ  １０８５（５．７Ａ法）に準拠したカンチレバー法によって測定された、前記接合部を含まない部位での前記吸収性物品の幅１０ｍｍ切片の長手方向の剛軟度が５０ｍｍ未満である請求項１〜７の何れかに記載の吸収性物品。
【発明の詳細な説明】
【技術分野】
【０００１】
本発明は、生理用ナプキンやパンティライナー等として好適に用いられる薄型の吸収性物品に関する。
【背景技術】
【０００２】
おりもの対策用シート（パンティライナー）、軽失禁用の失禁パッド等では、長時間快適に使えて着用違和感がない感触のよさが求められる傾向が年々高まっている。この現れの一つとして、物品全体の厚みが薄いほど好ましいと感じる使用者が増してきている。この嗜好に合わせて、従来では考えられなかった薄い物品を開発する動きが新たに起こっている。こうした方向で開発された吸収性物品は、それ自体の剛性が低く、いわゆる「コシが弱く、ヨレやすい」ものとなる。
【０００３】
このヨレやすさの問題は、当該技術分野において以前から課題として認識されている。この問題を解決するため、（１）物品の構成部材を適切に選択することで、物品を薄くすると共に硬くすること、又は（２）物品を着衣と固定するための手段（例えば粘着剤）の形成領域をできるだけ広げ、物品を着衣に固定したときに、物品と着衣と一体化する設計にすること、何れか一方の方向で解決を図ろうとしている。しかし、ヨレ防止のために製品を硬くすることは、装着感向上の観点から好ましいものではない。従って将来的には、薄く且つ柔らかい物品が望まれる方向に進むと考えられる。
【０００４】
上述したような、薄く且つ柔らかい吸収性物品が、下記文献１に開示されている。下記文献１記載の吸収性物品としての生理用ナプキンは、その表面を形成する有孔シートと吸収層とが、接着剤をスパイラル線状に塗布して止着されている。
【０００５】
【特許文献１】実開平３−４３８３２号公報
【発明の開示】
【発明が解決しようとする課題】
【０００６】
薄く且つ柔らかい吸収性物品が望まれるという将来の方向性に対し、本発明者らは、物品の操作性が新たな解決すべき課題となることを見出した。即ち、物品が薄く且つ柔らかくなり、更に着衣固定用の粘着剤の塗布面積が広くなること等に起因して、物品を個別包装から取り出して着衣に装着するときに、物品を手で持っている間に折れ曲がって粘着剤同士が貼り付いてしまい、装着に不都合を来たし得るという新たな課題を見出した。
【０００７】
従って本発明の目的は、柔らかさを損なうことなく着衣への取り付け性に問題を生じない、薄く且つ柔らかい吸収性物品を提供することにある。
【課題を解決するための手段】
【０００８】
本発明は、実質的に縦長で、少なくとも吸収層を構成する繊維シート及び液不透過性の裏面シートを有しており、厚さ０．５〜２ｍｍの薄型の吸収性物品であって、前記吸収性物品の幅方向の中央部に、前記繊維シートが重なり合っている重合部が形成されており、該重合部内に、前記吸収性物品の長手方向に連続した接着剤による接合部が設けられている吸収性物品を提供することにより、上記目的を達成したものである。
【発明の効果】
【０００９】
本発明の吸収性物品によれば、その幅方向の中央部に、長手方向に連続した接着剤による接合部が形成されており、吸収性物品に十分な剛性が付与される。そのため、薄型の吸収性物品であってもこれを手で持ったときに、前記長手方向に沿う方向に「こし」があり、折れ曲がりが生じにくい。また、包装によって折りしわが形成されても、前記長手方向の剛性によって、折りしわが回復する。従って着衣固定用の粘着剤同士が付着しないので、物品の着衣への装着が容易となる。更に、物品は幅方向に沿う方向に容易に変形し、着用者の動作の妨げにならず、違和感を生じない。
【発明を実施するための最良の形態】
【００１０】
以下、本発明の吸収性物品の好ましい実施形態について、図を参照しながら説明する。
本発明の好ましい第１実施形態の吸収性物品１は、図１及び図２に示すように、実質的に縦長で、繊維シート２及び液不透過性の裏面シート３を有しており、厚さ０．５〜２ｍｍの薄型であり、吸収性物品１の幅方向の中央部に、繊維シート２が重なり合っている重合部９が形成されており、該重合部９内に、吸収性物品１の長手方向に連続した接着剤による接合部４が設けられている。詳細には、接合部４は、前記接着剤と繊維シート２の一部とから形成されている（以下、同様）。
【００１１】
第１実施形態において、吸収性物品１は、パンティライナー１である。尚、図２に示す断面図では、繊維シート２及び裏面シート３は離れて図示されているが、実際はホットメルト接着剤５をスパイラル状に、裏面シート３の表面側に塗工して固定されている。パンティライナー１に柔軟性を付与するには、前記塗工パターンを用いることが好適であり、接着剤５の塗工量は坪量３〜１５ｇ／ｍ2が好ましい。以下、図３〜図５に示す実施形態の断面図も同様である。
【００１２】
第１実施形態のパンティライナー１について、更に説明すると、繊維シート２は、表面シート及び吸収層の双方の機能を兼ね備えた１枚の不織布２から形成されている。１枚の不織布２は、図２に示すように、パンティライナー１の幅方向に３つ折りにされており、不織布２の両側部２１、２１同士が重なり合って重合部９が形成されており、不織布２の重合部９には前記接着剤がパンティライナー１の長手方向に塗布されて接合部４を形成している。
【００１３】
第１実施形態のパンティライナー１の接合部４において、不織布２の長手方向に沿う両側部２１、２１同士の重なり幅は、その重なり幅が大き過ぎると、パンティライナー１の風合いが低下する傾向にあり、好ましくない。そこで、両側部２１、２１同士の重なり幅は、パンティライナー１の最狭部の幅の２５％以内、特に１５％以内が好ましい。また、前記重なり幅を長さで示すと、３〜１５ｍｍが好ましく、５〜１０ｍｍが更に好ましい。
【００１４】
第１実施形態のパンティライナー１の接合部４は、ひも状であり、パンティライナー１の長手方向に連続して形成されている。接合部４を形成する接着剤は、ホットメルト接着剤であり、その塗工量は、坪量８０ｇ／ｍ2以上が好ましい。
塗工量に関しては、多量であり過ぎるとパンティライナー１の風合いが低下する傾向にあり、少量であり過ぎると接着剤の塗工による剛性の付与効果が十分に発揮されない傾向にある。これらを勘案すると、塗工量は坪量８０ｇ／ｍ2以上、特に１００ｇ／ｍ2以上且つ４５０ｇ／ｍ2以下であることが好ましく、１２５ｇ／ｍ2以上３００ｇ／ｍ2以下であることが更に好ましい。
また、接合部４における接着剤の塗工幅は、１〜７ｍｍが好ましく、２〜５ｍｍが更に好ましい。
一方、該塗工パターンは、重なり合いの領域から逸脱せず、パンティライナー１の長手方向に連続したパターンであることが好ましい。折れ曲がり防止性の観点からは、パターンに抜けがない連続パターンであることが好ましく、連続であれば、例えばスパイラルパターンのような非直線パターンも好ましく使用可能である。塗工長さは、十分な折れ曲がり防止効果を考えると６０ｍｍ以上が好ましく、更に１００ｍｍ以上がより好ましい。
【００１５】
第１実施形態のパンティライナー１の接合部４の一部をなす接着剤、及び不織布２と裏面シート３とを固定している接着剤５は、共に、その主成分がゴム系粘着剤である。
より具体的には、該粘着剤は主成分をＳＢＳ（スチレン-ブタジエン-スチレン）、又はＳＥＢＳ（スチレン-エチレン-ブタジエン-スチレン）、ＳＩＳ（スチレン-イソプレン-スチレン）、ポリオレフィンとすることが好ましく、特にＳＢＳ、ＳＥＢＳ，ＳＩＳとするものが好ましい。また（可塑剤や粘着付与剤などを除く）ゴム系主成分の配合量は、（ホットメルト全体に対し）３０％以上であることが好ましく、５０％以上であることがより好ましい。
ゴム系粘着剤は、常温でも柔らかさを有していて、柔らかさが求められるパンティライナー１の使用に好適である。
【００１６】
同様にパンティライナー１は構成がシンプルで薄いことから、接着剤がパンティライナー１全体に占める配合比率が、従来では考えられないくらい大きな比率になる。
具体的には、パンティライナー１の重量に対する接合部４の接着剤重量比が０．７％以上、より好ましくは１．２％以上である。
また、パンティライナー１を、接合部４の接着剤の幅×長さでカットし、その部分での全重量に対する接着剤（以下、ＨＭともいう）重量の比率を測定すると、該ＨＭ重量比率は２０％〜７０％、好ましくは２５％〜５５％となる。
より簡易に、接合部４を含むパンティライナー１を幅方向中央で、幅５ｍｍ×長さ１００ｍｍでカットして、同様にその部分全体に対するＨＭ重量比率を測定すると、該ＨＭ重量比率は５％〜４５％、好ましくは７％〜３５％となる。
尚、この測定には、所定の寸法にパンティライナーをカットし、重量（1）測定後、まず裏面に塗工されているずれとめ粘着剤を有機溶剤（トルエンなど）でふき取り、乾燥させた後改めて重量（2）を測定する。得られた（ずれとめ粘着剤のない）試験片を有機溶剤に浸漬して固定ホットメルトを全て溶解し、残ったパーツ（不織布、フィルム、紙、ポリマー、etc.）を乾燥させて重量（3）を測定する。接合部４のＨＭの比率は以下のように計算できる。
ＨＭ比率＝（重量（2）−重量（3））/重量（1）  ×１００  （％）
ここで、接合部４を形成する接着剤以外の、パーツを固定するために用いられたＨＭ重量は圧倒的に小さいので、無視しうる。
【００１７】
上述したような第１実施形態のパンティライナー１の接合部４は、接着剤がひも状に塗工されて形成されているため、パンティライナー１の長手方向に沿う剛性を高め得るに足る剛性を有している。
その剛性の程度は、ＪＩＳ  Ｌ  １０８５（５．７Ａ法）に準拠したカンチレバー法によって測定された、接合部４を含む部位のパンティライナー１の幅１０ｍｍ長さ１２０ｍｍ切片の長手方向の剛軟度が５０ｍｍ以上、特に１００ｍｍ以上であることが好ましい（以下、剛軟度というときは、この方法で測定された値を言う）。
前記剛軟度の上限値に特に制限はないが、違和感やフィット性の観点から、測定時に下方に垂れ下がることが好ましく、測定可能な範囲に垂れ下がること、即ち１２０ｍｍ以下であることが更に好ましい。
【００１８】
パンティライナーは、一般に、その構成部材の点数が少なく、また各構成部材が薄手で剛性が低いことから、全体の剛性も低い。第１実施形態のパンティライナー１の部位のうち、接合部４を含まない部位でのパンティライナー１の幅１０ｍｍ長さ１２０ｍｍ切片の長手方向の剛軟度が５０ｍｍ未満が好ましく、特に１５ｍｍ以上５０ｍｍ未満、とりわけ１５〜４５ｍｍとなっていると更に好ましい。
【００１９】
第１実施形態のパンティライナー１において、パンティライナー１の３つ折りにされた状態における不織布２及び裏面シート３は、図１に示すように、それらの周縁部においてヒートシールによって接合されている。尚、図示していないが、裏面シート３の外面には、パンティライナー１をショーツ等の着衣に固定するための粘着剤が施されている。
【００２０】
第１実施形態のパンティライナー１は、その厚みが０．５〜２ｍｍ、特に０．５〜１ｍｍという薄型になっている。ここで言う厚みとは、パンティライナー１における最も厚い部分での厚みをいう。パンティライナー１の厚みは、例えばピーコック製卓上厚みゲージによって、適当な大きさの測定用プレートを載せて２．５ｇ／ｃｍ2荷重下で測定される。また、以下の方法でも測定可能である。
パンティライナー１の中央部で、パンティライナー１を横断するようにかみそりなどの鋭利な刃物で（幅５ｍｍ程度に）切断する。この断面をキーエンスＶＨ８０００などの、スケール挿入可能な拡大観察装置で拡大観察する。このときに、あわせて前記接合部の一部をなす接着剤の厚みを拡大観察しておく。
接合部４の接着剤の好ましい厚みは、０.１〜０.４ｍｍであり、パンティライナー１全体の厚みに対する好ましい比率は、１０〜６０％、更に好ましくは１５〜５０％である。
【００２１】
尚、パンティライナー１の厚みは、接合部４が厚み測定用プレートにかかる様にして測定される。
【００２２】
第１実施形態のパンティライナー１の不織布（繊維シート）２としては、通常のパンティライナーに使用されている表面シート及び吸収体の双方の機能を兼ね備えたシートと同様のものを用いることができる。
また、第１実施形態のパンティライナー１の裏面シート３としては、通常のパンティライナー等の吸収性物品に使用されている裏面シートと同様のものを用いることができる。
【００２３】
第１実施形態の接合部４を形成している接着剤、及び不織布２と裏面シート３とを固定している接着剤５の主成分であるゴム系粘着剤としては、通常のパンティライナー等の吸収性物品に使用されているゴム系粘着剤と同様のものを用いることができる。
【００２４】
第１実施形態のパンティライナー１は、その幅方向の中央部に構成部材の重なり合いと、接着剤とにより形成された、長手方向に連続した接合部４が形成されており、この接合部４がパンティライナー１における背骨のように機能し、パンティライナー１に十分な剛性が付与されるので、薄型のパンティライナー１であってもこれを手で持ったときに、前記長手方向に沿う方向に「こし」があり、折れ曲がりが生じにくい。また、包装によって折りしわが形成されても、前記長手方向の剛性によって、折りしわが回復する。従って着衣固定用の粘着剤同士が付着しないので、パンティライナー１の着衣への装着が容易となる。更に、パンティライナー１は幅方向に沿う方向に容易に変形し、着用者の動作の妨げにならず、違和感を生じない。
【００２５】
次に本発明の吸収性物品１としての第２〜４実施形態のパンティライナー１を、図３〜５を参照しながら説明する。第２〜４の実施形態について、特に説明しない点については、第１実施形態に関して詳述した説明が適宜適用される。また、図３〜５において、図２と同じ部材に同じ符号を付してある。
【００２６】
本発明の好ましい第２実施形態のパンティライナー１は、図２に示す第１実施形態のパンティライナー１の構成に加えて、図３に示すように、ホットメルト接着剤により形成されている補助接合部６、６、６が、接合部４近傍に、接合部４と並行に３本設けられている。３本の補助接合部６、６、６は、３つ折りにされた不織布２の間で、接合部４の表面側に、パンティライナー１の長手方向の両端部間に亘って直線的に塗工されている。
また、不織布２の２つの折曲部の内側にも、パンティライナー１全体のヨレ防止用にそれぞれ固定ホットメルト７、７が、接合部４と並行に、パンティライナー１の長手方向の塗工されている。
【００２７】
第２実施形態のパンティライナー１の３本の補助接合部６、６、６の塗工量の和は、坪量１５〜９０ｇ／ｍ2が好ましく、坪量３０〜６０ｇ／ｍ2が更に好ましい。
【００２８】
第２実施形態のパンティライナー１は、３本の補助接合部６、６、６が設けられており、パンティライナー１の長手方向に沿う剛性は、柔軟性を損なわない程度に、更に高められている。
【００２９】
本発明の好ましい第３実施形態のパンティライナー１は、図４に示すように、表面シート８を有しており、２枚の不織布２、２の一側部２１同士が重なり合って重合部９が形成されており、その中に長手方向に連続した所定の長さのホットメルト接着剤が塗工されて接合部４が形成されている。
【００３０】
第３実施形態のパンティライナー１の接合部４において、２枚の不織布２の長手方向に沿う両側部２１、２１の重なり幅は、パンティライナー１の最狭部の幅の２５％以内、特に１５％以内が好ましい。また、前記重なり幅を長さで示すと、３〜１５ｍｍが好ましく、５〜１０ｍｍが更に好ましい。
【００３１】
２枚の不織布２、２のそれぞれの表面側は表面シート８と、２枚の不織布２、２のそれぞれの裏面側は裏面シート３と、それぞれホットメルト接着剤を、表面シート８の裏面側に及び裏面シート３の表面側に、スパイラル状に塗工して固定されている。
パンティライナー１に柔軟性を付与するには、前記塗工方法を用いることが好適であり、塗工量は坪量５〜１５ｇ／ｍ2が好ましい。
【００３２】
第３実施形態のパンティライナー１において、表面シート８、不織布２、２及び裏面シート３としては、通常のパンティライナーに使用されているものと同様のものを用いることができる。
第３実施形態のパンティライナー１の不織布２、２は、表面シート８の機能を兼ね備える必要がないため、吸収性を重視した材質を選ぶことができる。
【００３３】
本発明の好ましい第４実施形態のパンティライナー１は、図５に示すように、１枚の不織布２が、パンティライナー１の幅方向に３つ折りにされていて、不織布２の両側部２１、２１同士が重なり合って重合部９が形成されている。
更に、パンティライナー１の不織布２と裏面シート３との間にホットメルト接着剤が塗工され、且つ該接着剤が不織布２に入り込んで接合部４を形成している。本実施形態では、接着剤が重合部９を貫通することによって、接合部４が形成されている。この場合、接合部は重合部９を形成する不織布２枚と裏面シート３、更に重合部を貫通し裏面シート３と固定している前記接着剤、の３者で形成されている。
本実施形態では、パンティライナー１の厚み並びに接着剤厚みを前述した方法で測定すると、接着剤厚みが防漏材側で厚く、重なり合い内部では薄くなるが、このような例（切断面で明らかに接着剤が一体のものであることがわかる場合）では接着剤厚みを一体で考えてよい。
また、重合部９間はホットメルト接着剤とは異なる接着剤で補助的に固定されていても良い。重合部９を含む面と裏面シート３とはホットメルト接着剤５によって固定されている。３つ折りされた不織布間もホットメルトスパイラルスプレーなどによって固定されていても良い(図示せず)。
【００３４】
本発明の吸収性物品は、前述した実施形態に制限されることなく、本発明の趣旨を逸脱しない限り適宜変更が可能である。
本発明の吸収性物品において、接合部を形成しているホットメルト接着剤は、薄膜状に塗工されていても良く、その場合の塗工量は、膜厚５０μｍ以上であり、８０μｍ以上４００μｍ以下が更に好ましい。また、前記薄膜の塗工の幅は、１〜７ｍｍが好ましく、２〜５ｍｍが更に好ましい。
本発明の吸収性物品において、不織布と裏面シートとの接着剤による接合は、ひも状、ビード状又は薄膜状のホットメルト接着でも良く、その場合、塗工量は坪量３０〜６０ｇ／ｍ2が好ましい。
【００３５】
また、上述した各実施形態は、パンティライナーに係るものであったが、本発明は薄型の吸収性物品全般に適用可能である。そのような吸収性物品にはパンティライナーの他に薄型の生理用ナプキンやおりものシートなどが含まれる。
【００３６】
また、全ての実施形態において、接合部４をパンティライナー１の幅方向中央に配置して説明しているが、本願の効果を維持できる範囲でオフセットすることは可能である。具体的には、パンティライナー１の最狭幅の正確に中央位置から、±７％の範囲で接合部４の中央がずれていても同様の効果が達成可能である。また、前述した如く、接着剤は直線だけではなく、連続したスパイラルパターンで形成されていてもよい。
【実施例】
【００３７】
以下、本発明の実施例を用いて更に説明する。ただし、本発明の範囲はかかる実施例に制限されるものではない。
【００３８】
（測定サンプルの調整）
（１）防漏シート
炭酸カルシウム５０質量％を含むポリエチレン樹脂フィルムを長手方向に延伸して微細開孔した坪量４０ｇ／ｍ2の透湿フィルムを、実施例/比較例共通の防漏シートとした。
（２）繊維シート
２．２ｄｔｅｘのポリエステル／ポリエチレンの芯鞘型複合繊維をカード積繊して坪量２５ｇ／ｍ2に調整し、熱風結合してエアスルー不織布を得た。
【００３９】
（３）製品の組み立て
[実施例１]
前記繊維シートを幅１５０ｍｍ、長さ１７０ｍｍに切り出し、裏面側中央（幅７０ｍｍの領域）に以下の組成からなるホットメルト接着剤を1６0℃で坪量５ｇ/ｍ2のスパイラルスプレー塗工した。
ホットメルト接着剤；ＳＥＢＳ系ブロックコポリマー、水素添加樹脂系粘着付与剤、パラフィンオイルを主成分とする。
重なり部が中央に来るように片側を折り、その端部から５ｍｍ内側に、長さ１００ｍｍ、幅２ｍｍ、塗工坪量２７０g/ｍ2の前記ホットメルト接着剤を１７５℃で線状に塗工し、ただちにもう片側の繊維集合体を折り重ねて圧着し、幅７０ｍｍの三つ折り形態を形成した。
前記防漏シートを幅７０ｍｍ、長さ１７０ｍｍに切り出し、前記ホットメルト接着剤を全面に１６０℃で５ｇ/ｍ2のスパイラルスプレー塗工し、上記三つ折形態の繊維集合シートを、重なり部が下になるように防漏シートと重ね合わせ、全周シール、全周カットして、図１の外形形態とし、更に以下のずれ止め粘着剤を裏面側中央に貼ってパンティライナーを得た。これを実施例１とする。
ずれ止め粘着剤；ＳＢＳ系ブロックコポリマー、水素添加樹脂系粘着付与剤、パラフィンオイルを主成分とするホットメルト粘着剤。
尚、ずれ止め粘着剤は剥離紙に長さ１２０ｍｍ、幅３５ｍｍの矩形に１５０℃で塗工し、冷却後パンティライナー裏面中央部に貼付した。
【００４０】
[実施例２]
前記繊維シートを、
シート（１）幅７０ｍｍ、長さ１７０ｍｍ、
シート（２）幅４０ｍｍ、長さ１７０ｍｍ×２枚、
それぞれに切り出し、シート（２）の一枚の長辺側の片方の測縁（５ｍｍ内側）に、長さ１００ｍｍ、幅２ｍｍ、塗工坪量３５０g/ｍ2の前記ホットメルト接着剤を１７５℃で線状に塗工し、ただちにもう１枚のシート（２）を重ね合わせて圧着し、中央部に１０ｍｍの重ねあわせを持つ、幅７０ｍｍの繊維シートを作る。
このシートの表面側全面に、前記ホットメルト接着剤を1６0℃で坪量５ｇ/ｍ2のスパイラルスプレー塗工し、直ちにシート（１）をこの上に重ね合わせた。
前記防漏シートを幅７０ｍｍ、長さ１７０ｍｍに切り出し、前記ホットメルト接着剤を全面に１６０℃で５ｇ/ｍ2のスパイラルスプレー塗工し、上記の如く重ね合わせたシートを、重なり部（シート（２）側）が下になるように防漏シートと重ね合わせ、以下実施例１と同様にしてパンティライナーを得た。これを実施例２とする。
【００４１】
[実施例３]
前記繊維シートを幅１５０ｍｍ、長さ１７０ｍｍに切り出し、裏面側中央（幅７０ｍｍの領域）に前記ホットメルト接着剤を1６0℃で坪量５ｇ/ｍ2のスパイラルスプレー塗工し、三つ折りして幅７０ｍｍの三つ折り形態を形成した。
前記防漏シートを幅７０ｍｍ、長さ１７０ｍｍに切り出し、前記ホットメルト接着剤を全面に１６０℃で５ｇ/ｍ2のスパイラルスプレー塗工し、上記三つ折の繊維シートの重なり部中央に、長さ１００ｍｍ、幅２ｍｍ、塗工坪量３７０g/ｍ2の前記ホットメルト接着剤を１７５℃で線状に塗工して、直ちに上記防漏シートと重なり部が下になるように重ね合わせ、以下実施例１と同様にしてパンティライナーを得た。これを実施例３とする。実施例３の接合部において、前記ホットメルト接着剤は、前述した実施形態３のように、繊維シートまで食い込んでいる。
【００４２】
[比較例１]
長さ１００ｍｍの線状のホットメルトを塗工しないこと以外は、実施例１と同様にして
パンティライナーを得た。これを比較例１とする。
[比較例２]
前記繊維シートを幅１５０ｍｍ、長さ１７０ｍｍに切り出し、裏面側中央（幅７０ｍｍの領域）に前記ホットメルト接着剤を1６0℃で坪量５ｇ/ｍ2のスパイラルスプレー塗工し、三つ折りして幅７０ｍｍの三つ折り形態を形成した。
前記防漏シートを幅７０ｍｍ、長さ１７０ｍｍに切り出し、前記ホットメルト接着剤を全面に１６０℃で５ｇ/ｍ2のスパイラルスプレー塗工し、更に防漏シート中央に、長さ１００ｍｍ、幅２ｍｍ、塗工坪量２７０g/ｍ2の前記ホットメルト接着剤を１５０℃で線状に塗工する。このとき防漏シートが収縮しないように、防漏シート反対面を適当な金属プレートに固定するなどの方法で冷却しながら塗工を行う。該ホットメルト接着剤が冷えた後、前記繊維シートと該防漏シートを、重なり部が下になるように重ね合わせ、以下実施例１と同様にしてパンティライナーを得た。これを比較例２とする。比較例２のパンティライナーは、図６に示すように、接合部において、前記ホットメルト接着剤は繊維シートに食い込んでいない。
【００４３】
（厚み測定）
パンティライナーを、その中央部で、パンティライナーを横断するようにかみそりなどの鋭利な刃物で（幅５ｍｍ程度に）切断する。この断面をキーエンス製ＶＨ８０００で拡大観察した。観察結果をプリントアウトし、別に同じ縮尺で拡大観察してプリントアウトした標準スケール（（株）エルマ製対物ミクロメータ１/１００ｍｍ）を元に、以下の厚み及び接合部厚み／パンティラ
イナー厚みを算出する。
パンティライナー厚み；繊維シート上面から防漏シート下面までの長さ
接合部厚み；切断面に露出する接着剤切断面の（厚み方向の）最大長さ。
接合部厚み／パンティライナー厚み；接合部厚み／パンティライナー厚み×１００
例えば、実施例１のように接着剤が繊維シート２枚に食い込んで存在する場合は、接合部厚みは、繊維シートに食い込んだ部分も含めた全体の厚み。実施例３のように防漏シート〜繊維シート２枚に及ぶ場合は、防漏シート直上から繊維シートに食い込んだ一番上の部分までの厚みとなる。この測定結果を表１に示す。厚みの測定に際して、接着剤の部分のみについて測定を行った（以下、同様）。
【００４４】
（剛軟度の測定方法）
接合部４を含む部位のパンティライナー１を幅１０ｍｍ長さ１２０ｍｍに切り出し、切片の剛性を、ＪＩＳ  Ｌ  １０８５（５．７Ａ法）に準拠したカンチレバー法によって測定した。この結果を表１に示す。表１において、剛軟度０は、パンティライナーの切片が柔軟に垂れ下がる状態である。
【００４５】
（使用テスト）
実施例１〜３、比較例１、２のパンティライナーをそれぞれ２枚ずつ女性に渡し、実際に下着に貼り付ける動作をやっていただいた。このときずれ止め粘着剤同士がくっつく、パンティライナーが２つに折れ曲がるなど装着にトラブルを起こした枚数をそれぞれ申告していただいた。
モニターは１０名で、それぞれ合計２０枚について何枚トラブルが生じたかを集計し、発生頻度（％）とした。この結果を表１に示す。
【００４６】
【表１】
2006288683.tif 000003
【図面の簡単な説明】
【００４７】
【図１】図１は、本発明の吸収性物品の第１実施形態のパンティライナーを示す一部破断斜視図である。
【図２】図２は、図１におけるＸ−Ｘ断面を模式的に示す拡大断面図である。
【図３】図３は、本発明の吸収性物品の第２実施形態のパンティライナーを模式的に示す断面図である。
【図４】図４は、本発明の吸収性物品の第３実施形態のパンティライナーを模式的に示す断面図である。
【図５】図５は、本発明の吸収性物品の第４実施形態のパンティライナーを模式的に示す断面図である。
【図６】図６は、比較例２のパンティライナーを模式的に示す断面図である。
【符号の説明】
【００４８】
１      パンティライナー（吸収性物品）
２      不織布（繊維シート）
２１    不織布の側部（繊維シートの側部）
３      裏面シート
４      接合部
５      ホットメルト接着剤（接着剤）
６      補助接合部
７      固定ホットメルト
８      表面シート
９      重合部
【図１】
2006288683.tif 000004
【図２】
2006288683.tif 000005
【図３】
2006288683.tif 000006
【図４】
2006288683.tif 000007
【図５】
2006288683.tif 000008
【図６】
2006288683.tif 000009